(57)【特許請求の範囲】
【請求項１】
トイレルーム内の空気を吸引する吸引部と、
前記吸引部により吸引された前記空気が通過する脱臭フィルタと、
前記脱臭フィルタに水を供給する供給部と、
前記供給部および前記吸引部を制御し、前記供給部から前記水を供給する制御を実行する際には前記吸引部の作動を禁止する制御を実行する制御部と、を備え、
前記制御部は、前記供給部から水を供給する制御を実行した後、予め定められた遅延時間の間は前記吸引部の作動を継続して禁止することを特徴とする便座装置。
【請求項２】
前記制御部は、前記脱臭フィルタに第１の水量の前記水を供給する脱臭制御と、前記脱臭フィルタの前記第１の水量よりも多い第２の水量の前記水を供給する洗浄制御と、をさらに実行し、
前記制御部は、前記脱臭制御のときの前記遅延時間である第１遅延時間に比べて、前記洗浄制御のときの前記遅延時間である第２遅延時間の方が長いことを特徴とする請求項１に記載の便座装置。
【請求項３】
トイレルーム内の空気を吸引する吸引部と、
前記吸引部により吸引された前記空気が通過する脱臭フィルタと、
前記脱臭フィルタに水を供給する供給部と、
前記供給部および前記吸引部を制御し、前記供給部から前記水を供給する制御を実行する際に、前記吸引部が作動しているときには、前記吸引部の作動を停止し、前記供給部から前記水を供給する制御が完了した後に、前記吸引部を作動させる制御を実行する制御部と、を備え、
前記制御部は、前記供給部から水を供給する制御を実行した後、予め定められた遅延時間の間は前記吸引部の作動を継続して禁止することを特徴とする便座装置。
【発明の詳細な説明】
【技術分野】
【０００１】
本発明は便座装置に関する。
【背景技術】
【０００２】
例えば、吸気装置と、殺菌水供給装置と、を備えた水洗トイレの脱臭殺菌装置がある（特許文献１）。特許文献１に記載された水洗トイレの脱臭殺菌装置は、大便器または小便器で発生する悪臭成分を除去するために、電解水即ち殺菌水を保湿性の脱臭フィルタに供給して含浸させる。吸気装置を作動させると、便器より臭気通路を通って臭気が吸引される。その臭気が脱臭フィルタを通過するときに、含浸させた電解水によって悪臭成分が吸収されたり分解されたりする。
【先行技術文献】
【特許文献】
【０００３】
【特許文献１】特開２０００−１２９７４７号公報
【発明の概要】
【発明が解決しようとする課題】
【０００４】
このような脱臭殺菌装置では殺菌水供給装置から脱臭フィルタに電解水が供給され、脱臭フィルタに電解水が含浸した状態で吸気装置を作動させることで上記のような効果を奏する。しかし、殺菌水供給装置から脱臭フィルタに電解水を供給しているときに吸気装置が動作していると、吸気装置からの風圧により排気側へ電解水が押し出され機外へ飛び散る恐れがある。
【０００５】
本発明は、このような課題に基づいてなされたものであり、脱臭フィルタに供給された水が機外に飛び散ることを抑制することができる便座装置を提供することを目的とする。
【課題を解決するための手段】
【０００６】
上記課題を解決するために、第１の態様は、トイレルーム内の空気を吸引する吸引部と、前記吸引部により吸引された前記空気が通過する脱臭フィルタと、前記脱臭フィルタに水を供給する供給部と、前記供給部および前記吸引部を制御し、前記供給部から前記水を供給する制御を実行する際には前記吸引部の作動を禁止する制御を実行する制御部と、を備え、前記制御部は、前記供給部から水を供給する制御を実行した後、予め定められた遅延時間の間は前記吸引部の作動を継続して禁止することを特徴とする便座装置である。
【０００７】
このような構成によれば、供給部から脱臭フィルタに水が供給されている場合には吸引部の作動が禁止されているため、供給部から水が供給されているときに吸引部から脱臭フィルタに空気が供給されないようにすることができる。そのため、供給部から脱臭フィルタに供給された水が機外に飛び散ることを抑制することができる。
また、供給部から水を供給した直後は、脱臭フィルタに保持されずにそのまま排出される水が、一部脱臭フィルタに残留した状態となっている。例えば、脱臭フィルタの表面に付着したままの状態となっていたり、或いは、残留した水によって脱臭フィルタの目が塞がった状態になっていたりする。そのため、供給部から水を供給し終わった直後に吸引部を作動させると、脱臭フィルタに保持されなかった水が風圧によって、機外に飛び散る恐れがある。
そのため、このような構成によれば、供給部から水を供給した後、所定の遅延時間の間は吸引部の作動が継続して禁止されるため、脱臭フィルタに保持されない水が脱臭フィルタから抜けた後に吸引部を作動させることができる。そのため、機外に水が飛び散ることを抑制することができる。
【０００８】
また、第２の態様は、第１の態様において、前記制御部は、前記脱臭フィルタに第１の水量の前記水を供給する脱臭制御と、前記脱臭フィルタの前記第１の水量よりも多い第２の水量の前記水を供給する洗浄制御と、をさらに実行し、前記制御部は、前記脱臭制御のときの前記遅延時間である第１遅延時間に比べて、前記洗浄制御のときの前記遅延時間である第２遅延時間の方が長いことを特徴とする便座装置である。
【０００９】
洗浄制御の際は、第１の水量よりも多い第２の水量の水を供給するため、脱臭フィルタに保持されない水が脱臭フィルタから抜けるまでに時間が掛かる。そのため、洗浄制御のときの第２の遅延時間を脱臭制御のときの第１の遅延時間に比べて長くすることで、脱臭フィルタに保持されない水が抜けるまで時間をおいてから吸引部を動作させることができ、機外に水が飛び散ることを抑制することができる。
【００１０】
また、第３の態様は、トイレルーム内の空気を吸引する吸引部と、前記吸引部により吸引された前記空気が通過する脱臭フィルタと、前記脱臭フィルタに水を供給する供給部と、前記供給部および前記吸引部を制御し、前記供給部から前記水を供給する制御を実行する際に、前記吸引部が作動しているときには、前記吸引部の作動を停止し、前記供給部から前記水を供給する制御がした後に、前記吸引部を作動させる制御を実行する制御部と、を備え、前記制御部は、前記供給部から水を供給する制御を実行した後、予め定められ遅延時間の間は前記吸引部の作動を継続して禁止することを特徴とする便座装置である。
【００１１】
このようにすることで、供給部から水の供給を開始するときに、吸引部が作動している場合には吸引部を停止させることができる。そのため、供給部から脱臭フィルタに水を供給するときには、吸引部から脱臭フィルタに空気が供給されることを抑制できる。そのため、供給部から脱臭フィルタに供給された水が機外に飛び散ることを抑制することができる。また、供給部から水の供給が完了した後に、吸引部を作動させることで、吸引された空気が水を保持した脱臭フィルタを通過するため、空気を脱臭することができる。
また、  供給部から水を供給した直後は、脱臭フィルタに保持されずにそのまま排出される水が、一部脱臭フィルタに残留した状態となっている。例えば、脱臭フィルタの表面に付着したままの状態となっていたり、或いは、残留した水によって脱臭フィルタの目が塞がった状態になっていたりする。そのため、供給部から水を供給し終わった直後に吸引部を作動させると、脱臭フィルタに保持されなかった水が風圧によって、機外に飛び散る恐れがある。
そのため、このような構成によれば、供給部から水を供給した後、所定の遅延時間の間は吸引部の作動が継続して禁止されるため、脱臭フィルタに保持されない水が脱臭フィルタから抜けた後に吸引部を作動させることができる。そのため、機外に水が飛び散ることを抑制することができる。
【発明の効果】
【００１４】
本発明によれば、脱臭フィルタに供給された水が機外に飛び散ることを抑制することができる便座装置を提供することができる。
【図面の簡単な説明】
【００１５】
【図１】本発明の実施の形態にかかる便座装置が設置されたトイレルームを表す模式的斜視図である。
【図２】本実施形態にかかる便座装置を表す模式的斜視図である。
【図３】本実施形態の洗浄水供給装置および脱臭装置の要部構成を表すブロック図である。
【図４】本実施形態の脱臭装置を表す模式的斜視図である。
【図５】本実施形態の脱臭装置を表す模式的分解図である。
【図６】本実施形態の電解槽の具体例を例示する模式的断面図である。
【図７】脱臭フィルタおよびフィルタケースの具体例を例示する模式的斜視図である。
【図８】脱臭フィルタおよびフィルタケースの具体例を例示する模式的平面図である。
【図９】本実施形態の脱臭フィルタのハニカム構造の具体例を例示する模式的平面図である。
【図１０】本実施形態にかかる便座装置の内部を表す模式的平面図である。
【図１１】使用頻度の判定方法を説明する表である。
【図１２】本実施形態にかかる便座装置の動作の具体例を例示するタイミングチャート図である。
【図１３】図１２に示されるタイミングチャート図の要部拡大図である。
【発明を実施するための形態】
【００１６】
＜第１実施形態＞
＜便座装置の概要＞
以下、本発明の実施の形態について図面を参照しつつ説明する。なお、各図面中、同様の構成要素には同一の符号を付して詳細な説明は適宜省略する。
図１は、本発明の実施の形態にかかる便座装置が設置されたトイレルームを表す模式的斜視図である。  
図２は、本実施形態にかかる便座装置を表す模式的斜視図である。
【００１７】
図１に表したように、トイレルーム１００の内部には水洗式の大便器２が設置されている。大便器２には、便座装置１が設けられている。本実施形態にかかる便座装置１は、便座（図示せず）と、便蓋４と、機能部６と、を備える。例えば、使用者は、トイレルーム１００の壁面に設置された操作部７４を操作すると、便蓋４を開閉させたり、機能部６が有する各種機能を動作させることができる。
【００１８】
図２に表したように、機能部６は、ケースプレート８と、ケースカバー１０と、洗浄水供給装置１２（図３参照）と、人体検知センサ１３と、洗浄ノズル１４と、脱臭装置１６と、制御部１８と、を有する。便座（図示せず）および便蓋４は、ケースカバー１０に対して開閉自在に軸支されている。ケースプレート８は、大便器２の正面（前方）からみて、大便器２のボウル部２０よりも後方に設けられている。ケースプレート８には、洗浄水供給装置１２と、洗浄ノズル１４と、脱臭装置１６と、制御部１８と、が設けられている。ケースカバー１０は、洗浄水供給装置１２と、洗浄ノズル１４と、脱臭装置１６と、制御部１８と、を覆い、ケースプレート８に固定されている。
【００１９】
人体検知センサ１３は、例えば赤外線信号を利用した焦電センサであり、トイレルーム１００に入室した入室者を検知する。人体検知センサ１３は、例えばドップラーセンサなどのマイクロ波センサであってもよい。マイクロ波のドップラー効果を利用したセンサや、マイクロ波を送信し反射したマイクロ波の振幅（強度）に基づいて被検知体を検出するセンサなどを人体検知センサ１３として用いた場合には、人体検知センサ１３は、トイレルーム１００のドア越しに使用者の存在を検知することが可能となる。つまり、人体検知センサ１３は、トイレルーム１００に入室する前の使用者を検知することができる。
【００２０】
脱臭装置１６は、大便器２の正面からみて、ケースプレート８の後方左側に設置されている。図２に表した矢印Ａ２８のように、脱臭装置１６は、大便器２の正面からみて、ケースカバー１０の左側に設けられた吸気口部２１から、トイレルーム１００内の空気を吸い込む。トイレルーム１００内の空気とは、主として大便器２の外部の空気（ボウル部２０以外の空気）をいう。吸気口部２１から吸い込まれた空気に含まれる悪臭成分は、脱臭装置１６によって捕集又は分解される。
【００２１】
本願明細書においては、通常使用状態で大便器２に腰掛けた使用者からみて上方を「上方」とし、通常使用状態で大便器２に腰掛けた使用者からみて下方を「下方」とする。また、通常使用状態で大便器２に腰掛けた使用者からみて前方を「前方」とし、通常使用状態で大便器２に腰掛けた使用者からみて後方を「後方」とする。あるいは、大便器２の方向を向いて大便器２の前に立った使用者からみて手前側を「前方」とし、大便器２の方向を向いて大便器２の前に立った使用者からみて奥側を「後方」とする。また、大便器２の方向を向いて大便器２の前に立った使用者からみて右側を「右側方」とし、大便器２の方向を向いて大便器２の前に立った使用者からみて左側を「左側方」とする。
【００２２】
本実施形態における「悪臭成分」は、アンモニア成分を含む。この悪臭成分は、尿がトイレルーム１００の床や壁などに付着したときに、尿の付着部分から発生する。
【００２３】
図２に表した矢印Ａ２９のように、脱臭装置１６によって悪臭成分が捕集又は分解された空気は、大便器２の正面からみて、ケースカバー１０の左側に設けられた排気口部２２から、トイレルーム１００へ吐き出される。
【００２４】
排気口部２２がケースカバー１０の側面に設けられているため、空気は、ケースカバー１０の前方へは排出されない。したがって、排気口部２２から排出された空気が使用者に直接的に当たることを抑制することができる。これにより、使い勝手の良い便座装置１を提供することができる。なお、吸気口部２１及び排気口部２２の設置形態は、図２に表した例には限定されない。例えば、吸気口部２１は、ケースカバー１０の後方面（背面）に設けられていてもよい。あるいは、吸気口部２１及び排気口部２２の少なくともいずれかは、右側の面に設けられていてもよい。
【００２５】
図２に表した例では、排気口部２２は、吸気口部２１よりも前方側に設けられている。そのため、排気口部２２は、悪臭成分が捕集又は分解された空気を吸気口部２１よりも前方側から排出することができる。したがって、使用者は、悪臭成分が捕集又は分解された空気を比較的吸いやすい。そのため、使用者が不快感を感じることをより抑制することができる。
【００２６】
制御部１８は、ＩＣ素子を含んだ制御回路であり、洗浄水供給装置１２、人体検知センサ１３、洗浄ノズル１４、および脱臭装置１６のそれぞれの動作を電気的に制御する。制御部１８は、例えば、ファン４６（図３参照）の動作を制御する。制御部１８は、例えば金属製の筺体としての制御部カバー（図示せず）によって覆われている。
【００２７】
＜機能水の生成方法＞
図３は、本実施形態の洗浄水供給装置および脱臭装置の要部構成を表すブロック図である。  
図４は、本実施形態の脱臭装置を表す模式的斜視図である。  
図５は、本実施形態の脱臭装置を表す模式的分解図である。  
図６は、本実施形態の電解槽の具体例を例示する模式的断面図である。
【００２８】
図３に表したように、洗浄水供給装置１２は、流路開閉弁２４と、瞬間加熱式の熱交換機２６と、電解槽２８と、大気解放式のバキュームブレーカー（ＶＢ）３０と、洗浄ノズル１４へ通じる第１流路３２と、脱臭装置１６へ通じる第２流路３４と、電磁ポンプ３６と、流調・流路切換弁３８と、を有する。なお、洗浄水供給装置１２は、必ずしも熱交換機２６を有していなくともよい。外部から供給された水は、流路開閉弁２４が開いたときに、熱交換機２６を通って電解槽２８へ送られる。
【００２９】
図６に表したように、電解槽２８は、第１の電極２８ａと、第２の電極２８ｂと、を有する。第１の電極２８ａは、例えば陽極である。第２の電極２８ｂは、例えば陰極である。第１の電極２８ａおよび第２の電極２８ｂは、電解槽２８の内部に設けられている。電解槽２８は、制御部１８から送信された通電の制御信号に基づいて、第１の電極２８ａと、第２の電極２８ｂと、の間の空間を流れる水道水を電気分解できる。言い換えれば、電解槽２８へ送られてきた水は、電解槽２８の内部において電気分解される。
【００３０】
水道水は、塩素イオン（Ｃｌ−）を含んでいる。塩素イオンは、水源（例えば、地下水や、ダムの水や、河川などの水）に食塩（ＮａＣｌ）や塩化カルシウム（ＣａＣｌ２）などとして含まれている。そのため、陽極（例えば第１の電極２８ａ）では、化学式１に表した反応が生ずる。
【００３１】
【化１】
0006551860.tif 000002
【００３２】
化学式１において発生した塩素は、気泡としては存在しにくく、ほとんどの塩素は水に溶解する。そのため、化学式１において発生した塩素については、化学式２に表した反応が生ずる。
【００３３】
【化２】
0006551860.tif 000003
【００３４】
このようにして、塩素イオンを電気分解することにより次亜塩素酸（ＨＣｌＯ）が生成される。その結果、電解槽２８において電気分解された水は、次亜塩素酸を含む液（以下、「機能水」と称する）に変化する。
【００３５】
電解槽２８によって生成された機能水は、第１流路３２又は第２流路３４へ流れる。第１流路３２へ流れた機能水は、電磁ポンプ３６によって、洗浄ノズル１４へ送られる。洗浄ノズル１４は、吐水部１５を有する。例えば、吐水部１５は、おしり洗浄吐水孔１５ａと、おしりソフト吐水孔１５ｂと、ビデ洗浄吐水孔１５ｃと、ワイドビデ洗浄吐水孔１５ｄと、を有する。但し、吐水部１５が有する吐水孔は、これだけには限定されない。洗浄ノズル１４へ送られた機能水は、吐水部１５から吐出される。吐水部１５から吐出された機能水は、洗浄ノズル１４の外面の洗浄、即ち胴体洗浄に用いられる。
【００３６】
電磁ポンプ３６と洗浄ノズル１４との間には、流調・流路切替弁３８が設けられている。流調・流路切替弁３８を動作させることで、洗浄ノズル１４から吐出する機能水の吐水流量、吐水角度および吐水範囲などを変更することができる。また、流調・流路切替弁３８を動作させることで、機能水をノズル洗浄室（胴体洗浄部）４０に送ることができる。ノズル洗浄室４０は、吐水部４１を有する。ノズル洗浄室４０は、吐水部４１から機能水を吐出することで、洗浄ノズル１４の外面の洗浄、即ち胴体洗浄を行う。
＜脱臭装置での脱臭原理＞
【００３７】
第２流路３４へ流れた機能水は、脱臭装置１６へ送られる。図３〜図５に表したように、脱臭装置１６は、集塵フィルタ４４と、ファン（吸引部）４６と、脱臭フィルタ４８と、噴霧部５０（供給部）と、水受け部５２と、フィルタケース７２と、を有している。
【００３８】
水受け部５２は、吸気口４２と、排気口５４と、を有する。吸気口４２は、ケースカバー１０の吸気口部２１に設置されている。排気口５４は、ケースカバー１０の排気口部２２に設置されている。ファン４６は、例えば樹脂製のシロッコファンである。ファン４６は、内部に設けられた複数の羽が回転することで、吸気口４２からトイレルーム１００内の空気を吸引し、吸引した空気を排気口５４からトイレルーム１００へ吐き出す。なお、ファン４６は、シロッコファンには限定されない。
【００３９】
図４に表したように、集塵フィルタ４４は、第１羽板６８の内側に設置されている。集塵フィルタ４４は、吸い込まれる空気の中の塵や埃などが、ファン４６へ送られることを防ぐ。第１羽板６８をケースカバー１０から取り外すことで、集塵フィルタ４４を脱臭装置１６から取り外すことができる。したがって、集塵フィルタ４４を便座装置１から容易に取り外すことができる。これにより、集塵フィルタ４４をより容易に清掃することができる。なお、集塵フィルタ４４は、第１羽板６８と一体的に設けられていてもよい。この場合には、集塵フィルタ４４及び第１羽板６８をケースカバー１０から同時に取り外すことができる。あるいは、集塵フィルタ４４は、吸気口４２の部分に設置されていてもよい。
【００４０】
脱臭フィルタ４８は、ポーラス構造を有する。つまり、脱臭フィルタ４８は、多孔質の構造を有する。
本願明細書において「ポーラス構造」とは、材質の密度が１グラム／立方センチメートル（ｇ／ｃｍ３）であり、１ｇあたり０．５ミリリットル（ｍＬ）以上の水を保持可能な構造をいうものとする。言い換えれば、本願明細書において「ポーラス構造」とは、重さが１ｇの立方体であって一辺の長さが１ｃｍの立方体が０．５ミリリットル（ｍＬ）以上の水を保持可能な構造をいうものとする。
【００４１】
脱臭フィルタ４８の材料は、セラミックを含む。より具体的には、脱臭フィルタ４８の材料は、シリカ（ＳｉＯ２）およびアルミナ（Ａｌ２Ｏ３）を含む。より具体的には、脱臭フィルタ４８は、シリカとアルミナとの混合焼結体である。脱臭フィルタ４８は、ハニカム構造を有する。脱臭フィルタ４８のハニカム構造の具体例については、後述する。脱臭フィルタ４８は、フィルタケース７２に保持されている。
【００４２】
機能水は、噴霧部５０により脱臭フィルタ４８に供給される。脱臭フィルタ４８は、ファン４６と排気口５４との間、即ちファン４６の下流側に設けられている。言い換えれば、ファン４６は、機能水が供給される脱臭フィルタ４８よりも上流側に設置されている。そのため、湿気を含んだ空気が脱臭フィルタ４８からファン４６へ送られることを抑制することができる。よって、ファン４６が湿気により故障することを抑制することができる。
【００４３】
ファン４６から排出された空気は、脱臭フィルタ４８を通過する。そのため、ファン４６が作動する前に便座装置１の内部に溜まった空気は、必ず脱臭フィルタ４８を通過し、悪臭成分が捕集された後にトイレルーム１００へ排出される。よって、ファン４６を作動させた際に、便座装置１の内部に溜まった空気が悪臭成分を捕集又は分解されずにトイレルーム１００へ排出されることを抑制することができる。
【００４４】
脱臭フィルタ４８は、使用者の操作によって、排気口５４から自由に取り出し可能とされている。より具体的には、脱臭フィルタ４８は、フィルタケース７２に保持された状態で取り出し可能とされている。使用者は、フィルタケース７２から脱臭フィルタ４８を取り外すことで、脱臭フィルタ４８を排気口５４から自由に取り出すことができる。このことより、脱臭フィルタ４８の清掃性が向上する。
【００４５】
噴霧部５０は、電磁弁を有し、脱臭フィルタ４８よりも上方に設けられている。噴霧部５０が制御部１８によって開弁動作すると、機能水は、脱臭フィルタ４８の上方から脱臭フィルタ４８に向けて例えば約３秒間以上、５秒間以下程度噴霧される。機能水は、噴霧部５０を頂点にして円錐状に広がりながら噴霧される。噴霧部５０から噴霧される機能水の広がり角度は、約１１０度程度である。
【００４６】
機能水が脱臭フィルタ４８に向けて噴霧されると、脱臭フィルタ４８は、機能水を保持する。噴霧部５０から噴霧される水の径は、例えば約１０マイクロメートル（μｍ）以上、１０００μｍ以下である。そのため、噴霧部５０から噴霧された機能水は脱臭フィルタ４８の材料に浸透する。本願明細書において「浸透」とは、液体が材料にしみ通ることだけではなく、液体がポーラス構造の孔に保持されることを含むものとする。
【００４７】
ファン４６が作動すると、吸気口４２から吸引されたトイレルーム１００内の空気が脱臭フィルタ４８内を通過する。ここで、脱臭フィルタ４８が機能水を保持した状態において、空気が脱臭フィルタ４８内を通過すると、空気の中に含まれる悪臭成分が機能水に取り込まれる。機能水に取り込まれた悪臭成分は、機能水に含まれる次亜塩素酸によって、以下の式のように分解される。
【００４８】
【化３】
0006551860.tif 000004
【００４９】
化学式３に表したように、アンモニア（ＮＨ３）は、次亜塩素酸（ＨＣｌＯ）と反応することで、モノクロラミン（ＮＨ２Ｃｌ）と水（Ｈ２Ｏ）とに変わる。モノクロラミンの臭いは、塩素と同じカルキ臭である。モノクロラミンの臭いによって、使用者は清潔感を感じることができる。分解されずに残った悪臭成分は、機能水に捕集される。そのため、分解されずに残った悪臭成分が空気へ戻ることを抑制することができる。その結果、脱臭フィルタ４８内を通過した空気は、悪臭成分が取り除かれる。
【００５０】
悪臭成分が取り除かれた空気は、排気口５４からトイレルーム１００へ排出される。このように、脱臭装置１６は、トイレルーム１００内に常在する悪臭成分を捕集又は分解することができる。よって、使用者は、トイレルーム１００に入室する度に、トイレルーム１００内に常在する悪臭成分による臭気を吸うことがなくなり、快適にトイレルーム１００を利用できる。
【００５１】
本実施形態によれば、脱臭フィルタ４８は、ポーラス構造を有するため、機能水を保持しやすい。そのため、本実施形態にかかる便座装置１は、より高い脱臭性能を確保することができる。また、機能水は、次亜塩素酸を含む液であるため、アンモニアおよびトリメチルアミンを次亜塩素酸により分解することができる。また、脱臭フィルタ４８の材料がセラミックを含むため、脱臭フィルタ４８は、一定の硬さを有し経年劣化による変形を抑制できる。また、脱臭フィルタ４８は、シリカとアルミナとの混合焼結体であるため、機能水に起因する腐食を抑制することができ、より長期的に使用可能である。さらに、脱臭フィルタ４８がハニカム構造を有するため、吸気口４２から吸い込まれたトイレルーム１００内の空気と、機能水と、の接触面積は、より広い。そのため、アンモニアなどの悪臭成分の分解性能を向上させることができる。
【００５２】
図１および図２に関して前述したように、実施形態の悪臭成分の発生源は、トイレルーム１００の床や壁などに付着した尿であり、大便器２のボウル部２０の悪臭成分の発生源とは異なる。そのため、脱臭装置１６の吸気口４２がケースカバー１０の側面または後方面に設けられた吸気口部２１に設置されると、脱臭装置１６は、脱臭を行いやすい。
【００５３】
ファン４６から排出された空気は、脱臭フィルタ４８の上方から下方に向かって脱臭フィルタ４８を通過する。これにより、脱臭フィルタ４８の中に溜まったスケールや塵などの滞留物を、ファン４６から排出された空気、及び、滞留物自身の重さによって、水受け部５２に払い落とすことができる。そのため、脱臭フィルタ４８に滞留物が溜まりにくくなる。
【００５４】
なお、ファン４６から排出された空気は、脱臭フィルタ４８の下方から上方に向かって脱臭フィルタ４８を通過してもよい。この場合には、スケールや塵などは、脱臭フィルタ４８の下部（脱臭フィルタ４８のうちの風上の部分）に滞留する。一方で、機能水は、脱臭フィルタ４８の上方から脱臭フィルタ４８に向けて噴霧される。これにより、脱臭フィルタ４８の下部に溜まったスケールや塵などの滞留物を、噴霧部５０から噴霧された機能水によって水受け部５２に落とすことができる。
【００５５】
図４および図５に表したように、水受け部５２は、ケースプレート８に向かって開口した排水口５６を有する。水受け部５２の底面は、排水口５６に向かって傾斜している。これにより、水受け部５２へ流れた機能水は、水受け部５２の底面に溜まることなく排水口５６に向かって流れる。
＜脱臭フィルタの具体構造＞
【００５６】
図７は、脱臭フィルタおよびフィルタケースの具体例を例示する模式的斜視図である。
図８は、脱臭フィルタおよびフィルタケースの具体例を例示する模式的平面図である。
図９は、本実施形態の脱臭フィルタのハニカム構造の具体例を例示する模式的平面図である。
【００５７】
図８（ａ）は、図５に表した矢印Ａ３１の方向にみたときのフィルタケースを表す模式的平面図である。図８（ｂ）は、図５に表した矢印Ａ３１の方向にみたときの上側脱臭フィルタを表す模式的平面図である。図８（ｃ）は、図５に表した矢印Ａ３１の方向にみたときの下側脱臭フィルタを表す模式的平面図である。図８（ｄ）は、上側脱臭フィルタと下側脱臭フィルタを重ねた状態の脱臭フィルタを図５に表した矢印Ａ３１に直行する方向から見た時の模式的側面図である。
つまり、図８（ａ）乃至図８（ｃ）は、上方から下方へ向かって眺めたときの上側脱臭フィルタ、下側脱臭フィルタおよびフィルタケースの具体例を例示する模式的平面図であり、図８（ｄ）は、前方から後方へ向かって眺めたときの上側脱臭フィルタと下側脱臭フィルタを重ねた状態の脱臭フィルタの具体例を例示する模式的側面図である。
図９（ａ）は、四角柱の孔が並んだ構造を表す模式的平面図である。図９（ｂ）は、三角柱の孔が並んだ構造を表す模式的平面図である。図９（ｃ）は六角柱の孔が並んだ構造を表す模式的平面図である。図９（ａ）〜図９（ｃ）は、図５に表した矢印Ａ３１の方向にみたときの脱臭フィルタを拡大して眺めた模式的平面図である。
【００５８】
図７に表したように、脱臭フィルタ４８は、フィルタケース７２に保持されている。図８（ｄ）に表したように、脱臭フィルタ４８は、図８（ｂ）に表す上側脱臭フィルタ４９ａ、及び、図８（ｃ）に表す下側脱臭フィルタ４９ｂを重ねることで構成されている。また、図８（ａ）乃至図８（ｃ）に表したように、フィルタケース７２の部分であって脱臭フィルタ４８が保持される部分の第１の方向（図８（ａ）では横方向）の長さＤ１は、上側脱臭フィルタ４９ａの第１の方向の長さＤ３、及び、下側脱臭フィルタ４９ｂの第１の方向の長さＤ５よりも長い。フィルタケース７２の部分であって脱臭フィルタ４８が保持される部分の第２の方向（図８（ａ）では縦方向）の長さＤ２は、上側脱臭フィルタ４９ａの第２の方向の長さＤ４、及び、下側脱臭フィルタ４９ｂの第２の方向の長さＤ６よりも長い。つまり、上側脱臭フィルタ４９ａ及び下側脱臭フィルタ４９ｂを重ねた脱臭フィルタ４８がフィルタケース７２に保持された状態において、脱臭フィルタ４８とフィルタケース７２との間には、隙間が存在する。
【００５９】
これによれば、脱臭フィルタ４８にかかる外力を分散させ、脱臭フィルタ４８の材料がセラミックである場合でも脱臭フィルタ４８が破損することを抑制することができる。例えば、脱臭フィルタ４８をフィルタケース７２に取り付けたり、脱臭フィルタ４８をフィルタケース７２から取り外したりするときに、脱臭フィルタ４８に対して外力がかかることがある。この場合でも、脱臭フィルタ４８とフィルタケース７２との間に隙間が存在するため、脱臭フィルタ４８にかかる外力を分散させ、脱臭フィルタ４８が破損することを抑制することができる。
【００６０】
また、上側脱臭フィルタ４９ａ及び下側脱臭フィルタ４９ｂは、ハニカム構造を有する。図８（ｂ）、図８（ｃ）および図９（ａ）に表した具体例では、上側脱臭フィルタ４９ａ及び下側脱臭フィルタ４９ｂは、四角柱の孔４８ａが並んだ構造を有する。図９（ｂ）に表した具体例のように、本実施形態の上側脱臭フィルタ４９ａ及び下側脱臭フィルタ４９ｂは、三角柱の孔４８ｂが並んだ構造を有していてもよい。あるいは、図９（ｃ）に表した具体例のように、本実施形態の上側脱臭フィルタ４９ａ及び下側脱臭フィルタ４９ｂは、六角柱の孔４８ｃが並んだ構造を有していてもよい。
【００６１】
このように、本願明細書において「ハニカム構造」とは、六角柱の孔が並んだ構造には限定されず、三角柱の孔や四角柱の孔などの立体図形が並んだ構造をいうものとする。  
図９（ａ）〜図９（ｃ）は、上方から下方へ向かって眺めたときに、上側脱臭フィルタ４９ａ及び下側脱臭フィルタ４９ｂのハニカム構造が有する立体図形を表している。
【００６２】
上側脱臭フィルタ４９ａ及び下側脱臭フィルタ４９ｂのハニカム構造が有する立体図形の軸は、上下方向と平行である。上側脱臭フィルタ４９ａ及び下側脱臭フィルタ４９ｂのハニカム構造が有する立体図形の軸とは、図９（ａ）に表した具体例では、四角柱の孔の軸であり、図９（ｂ）に表した具体例では、三角柱の孔の軸であり、図９（ｃ）に表した具体例では、六角柱の孔の軸をいう。
【００６３】
これによれば、水が上側脱臭フィルタ４９ａ及び下側脱臭フィルタ４９ｂの上下方向において十分に行きわたる。そのため、上側脱臭フィルタ４９ａ及び下側脱臭フィルタ４９ｂの略全体が水を保持した状態となる。これにより、本実施形態にかかる便座装置１は、より高い脱臭性能を確保することができる。
【００６４】
また、下側脱臭フィルタ４９ｂのハニカム構造は、上側脱臭フィルタ４９ａのハニカム構造よりも、各四角柱の孔４８ａが大きくなっている。つまり、下側フィルタ４９ｂのハニカム構造は、上側脱臭フィルタ４９ａのハニカム構造よりも荒くなっている。
【００６５】
上側脱臭フィルタ４９ａは細かいハニカム構造を有しているため、上側脱臭フィルタ４９ａに供給された水が表面張力によって四角柱の孔を塞いでしまう場合がある。そうすると、空気が上側脱臭フィルタ４９ａの四角柱の孔を通らなくなるため、脱臭性能が低下してしまう。このような、水の表面張力による上側脱臭フィルタ４９ａのハニカム構造の閉塞を防ぐために、本具体例では、上側脱臭フィルタ４９ａよりも荒いハニカム構造を有する下側脱臭フィルタ４８ｂを、上側脱臭フィルタ４９ａの下に重ねている。
【００６６】
上側脱臭フィルタ４９ａの四角柱の孔を閉塞している水に、上側脱臭フィルタ４９ａよりも大きな四角柱の孔を形成している下側脱臭フィルタ４９ｂのハニカム構造の１辺が接触すると、上側脱臭フィルタ４９ａの四角柱の孔を閉塞している水の表面張力が破壊され、上側脱臭フィルタ４９ａの四角柱の孔の閉塞を解消することができる。
【００６７】
また、下側脱臭フィルタ４９ｂは上側脱臭フィルタ４９ａと同様にポーラス構造を有する材料で形成されていることも好ましい。下側脱臭フィルタ４９ｂがポーラス構造を有する材料で形成されていることにより、下側脱臭フィルタ４９ｂも上側脱臭フィルタ４９ａと同様に、供給された水を保持しようとする吸水性を有する。そのため、上側脱臭フィルタ４９ａの四角柱の孔を閉塞している水の表面張力を破壊し易くすることができる。
【００６８】
以上説明したような下側脱臭フィルタ４９ｂを上側脱臭フィルタ４９ａの下に重ねることで、上側脱臭フィルタ４９ａの四角柱の孔が水によって閉塞するのを抑制することができるため、本実施形態に掛かる便座装置１は、より高い脱臭性能を確保することができる。
【００６９】
なお、下側脱臭フィルタ４９ｂはポーラス構造を有する材料が好ましいと説明したが、下側脱臭フィルタ４９ｂを形成する材料はこれに限定されるものではなく、上側脱臭フィルタ４９ａの四角柱の孔を閉塞している水の表面張力を破壊することができるものであれば、その材質は適宜変更することができる。
【００７０】
また、下側脱臭フィルタ４９ｂのハニカム構造は、上側脱臭フィルタ４９ａのハニカム構造よりも荒いため、下側脱臭フィルタ４９ｂの保水量は、上側脱臭フィルタ４９ａの保水量よりも少ない。そのため、脱臭フィルタ４８全体としての保水量を多くするためには、図８（ｄ）に示すように、上側脱臭フィルタ４９ａの厚みＤ７を下側脱臭フィルタ４９ｂの厚みＤ８よりも厚くすることが好ましい。
これにより、保水量の多い上側脱臭フィルタ４９ａの体積を大きくすることができるため、脱臭フィルタ４８全体としての保水量を多くすることができる。
【００７１】
＜脱臭フィルタの洗浄方法＞
図１０は、本実施形態にかかる便座装置の内部を表す模式的平面図である。
図１０を参照しつつ、本実施形態の脱臭フィルタの洗浄について説明する。
【００７２】
図３〜図６に関して前述したように、本実施形態の脱臭装置１６は、機能水を保持した脱臭フィルタ４８に空気を通過させることにより空気の中に含まれる悪臭成分を捕集又は分解する。そのため、臭気の原因となる物質が脱臭フィルタ４８に吸着する。脱臭フィルタ４８のメンテナンスを行わないと、脱臭フィルタ４８の脱臭性能を確保できない場合がある。
【００７３】
これに対して、本実施形態の制御部１８は、脱臭フィルタ４８の洗浄動作を行う制御を実行する。制御部１８は、使用者の不使用時間帯に脱臭フィルタ４８の最大保水量よりも多い機能水を脱臭フィルタ４８に供給する。制御部１８は、所定時間の間に複数回にわたって機能水を脱臭フィルタ４８に供給してもよい。この場合には、複数回の供給の合計量が脱臭フィルタ４８の保水量以上になってもよい。あるいは、複数回の供給のそれぞれの量が脱臭フィルタ４８の保水量以上であってもよい。「所定時間」とは、例えば約１分間以上、１０分間以内程度である。「不使用時間帯」の詳細については、後述する。
【００７４】
脱臭フィルタ４８の最大保水量は、約１０ｍＬ程度である。脱臭フィルタ４８を洗浄する際には、噴霧部５０は、約１００ｍＬ以上、１５０ｍＬ以下程度の機能水を脱臭フィルタ４８に向けて噴霧する。つまり、噴霧部５０は、脱臭フィルタ４８の最大保水量以上の水を噴霧することで、脱臭フィルタ４８を洗浄することができる。これにより、脱臭フィルタ４８に吸着した臭気の原因となる悪臭成分を洗い流すことができるため、脱臭フィルタ４８の脱臭性能を維持することができる。また脱臭フィルタ４８の洗浄動作は自動的に行われるため、使用者による脱臭フィルタ４８のメンテナンス回数を減らすことができる。
【００７５】
脱臭フィルタ４８の洗浄に利用した機能水は、脱臭フィルタ４８よりも下方に位置する水受け部５２に流れる。水受け部５２へ流れた機能水は、水受け部５２の排水口５６から排出されケースプレート８の上面へ導かれる。
【００７６】
図１０に表したように、ケースプレート８の上面には、リブ５８が設けられている。リブ５８は、ケースプレート８の上面から上方へ向かって突出し、排出流路６０を形成する。排出流路６０は、脱臭フィルタ４８を通過した水を排出する。例えば、排出流路６０は、脱臭フィルタ４８を洗浄した機能水を排出する。排出流路６０は、ボウル部排出用孔６２を有する。ボウル部排出用孔６２は、ノズル洗浄室４０が設置される位置に隣接するように設けられている。ボウル部排出用孔６２は、ケースプレート８の前方部に設けられている。リブ５８は、線状に設けられ、排水口５６（図４および図５参照）から排出された機能水をボウル部排出用孔６２へ導く。
【００７７】
排出流路６０は、前方に向かって下方へ傾斜している。これにより、図１０に表した矢印Ａ２１〜矢印Ａ２７のように、排水口５６から排出された機能水は、重力に従い前方に向かって排出流路６０を流れる。これにより、排水口５６から排出された機能水をより容易にボウル部排出用孔６２へ導くことができる。
【００７８】
ボウル部排出用孔６２へ導かれた機能水は、大便器２のボウル部２０へ排出される。これにより、脱臭フィルタ４８の洗浄に利用した機能水であって、悪臭成分を捕集した機能水は、ボウル部２０へ排出される。ボウル部２０では、水による洗浄が頻繁に行われる。これにより、機能水が付着した部位が乾いて臭いが発生することを抑え、使用者が不快感を感じることを抑えることができる。
【００７９】
ボウル部排出用孔６２は、ノズル洗浄室４０を設置する位置に隣接している。そのため、ノズル洗浄室４０が洗浄ノズル１４の胴体洗浄を行った際に、洗浄ノズル１４の胴体洗浄に利用した機能水は、排出流路６０の一部を流れボウル部排出用孔６２からボウル部２０へ排出される。つまり、洗浄ノズル１４の胴体洗浄に利用した機能水は、水受け部５２の排水口５６から排出された機能水が流れる排出流路６０の一部を流れる。その結果、排出流路６０の一部及びボウル部排出用孔６２は、洗浄ノズル１４の胴体洗浄を行った水により洗浄される。これにより、悪臭成分を捕集した機能水が乾いた後に排出流路６０及びボウル部排出用孔６２から臭いが発生することを抑えることができ、使用者が不快感を感じることを抑えることができる。
【００８０】
また、洗浄ノズル１４は、ケースプレート８とケースカバー１０との間の空間に収納された状態において、吐水部１５が有する全ての吐水孔から機能水を吐出することにより吐水部１５の部分を洗浄することができる（セルフクリーニング）。このとき、洗浄ノズル１４の吐水部１５の部分は、ノズル洗浄室４０の中に収容されている。そのため、吐水部１５から吐出された機能水は、ノズル洗浄室４０の内壁で反射して吐水部１５の部分にかかる。これにより、吐水部１５の部分は、ノズル洗浄室４０の内壁で反射した機能水によっても洗浄される。
【００８１】
セルフクリーニングに利用された機能水は、排出流路６０の一部を流れ、ボウル部排出用孔６２からボウル部２０へ排出される。つまり、セルフクリーニングに利用された機能水は、水受け部５２の排水口５６から排出された機能水が流れる排出流路６０の一部を流れる。その結果、排出流路６０の一部及びボウル部排出用孔６２は、セルフクリーニングを行った水により洗浄される。これにより、悪臭成分を捕集した機能水が乾いた後に排出流路６０及びボウル部排出用孔６２から臭いが発生することを抑えることができ、使用者が不快感を感じることを抑えることができる。
【００８２】
また、ボウル部排出用孔６２は、ノズル洗浄室４０を設置する位置に隣接しているため、脱臭フィルタ４８の洗浄に用いた機能水のボウル部２０への排出位置は、セルフクリーニング及び洗浄ノズル１４の胴体洗浄に用いた機能水のボウル部２０への排出位置と隣接する。このことにより、脱臭フィルタ４８の洗浄に用いた機能水がボウル部２０に排出された際に、使用者が、便座装置１の故障だと認識してしまうことを抑えることができる。
【００８３】
＜便座装置の動作の具体例＞
次に、本実施形態にかかる便座装置の動作の具体例について、図面を参照しつつ説明する。  
図１１は、使用頻度の判定方法を説明する表である。
【００８４】
本実施形態の制御部１８は、１日（２４時間）を４５分間ごとに分割して３２個のユニットを形成し、人体検知センサ１３による人体検知の有無を記憶する。図１１に表した表では、３２個のユニットのうちの８個のユニットを例として挙げている。また、図１１に表した表では、人体検知センサ１３が人体を検知した場合には記号「○」が記載されている。一方で、人体検知センサ１３が人体を検知しなかった場合には記号が記載されていない（無記号）。
【００８５】
制御部１８は互いに隣り合う２つのユニット（９０分間）において、人体検知センサ１３が人体を検知した回数（使用者がトイレルーム１００を使用した回数）を８日間にわたって合計する。９０分間における合計回数が０（ゼロ）である場合には、制御部１８は、使用者がトイレルーム１００を「使用しない時間帯」であるとする使用頻度を設定する。９０分間における合計回数が１以上、４未満である場合には、制御部１８は、使用者がトイレルーム１００を「あまり使用しない時間帯」であるとする使用頻度を設定する。９０分間における合計回数が４以上である場合には、制御部１８は、使用者がトイレルーム１００を「使用する時間帯」であるとする使用頻度を設定する。
【００８６】
例えば、図１１に表した太い枠線で囲まれた２つのユニット（９０分間）では、人体検知センサ１３が人体を検知した回数の８日間にわたる合計は、「３」である。そのため、制御部１８は、図１１に表した太い枠線で囲まれた２つのユニットの使用頻度を「あまり使用しない時間帯（少）」に設定する。
【００８７】
＜脱臭制御の動作＞
図１２は、本実施形態にかかる便座装置の動作の具体例を例示するタイミングチャート図である。
図１３（ａ）は、図１２に示されるタイミングチャート図においてタイミングｔ１以降を拡大した図である。図１３（ｂ）は図１２に示されるタイミングチャート図においてタイミングｔ４以降を拡大した図である。
【００８８】
図１２に示すように、本具体例の制御部１８は使用頻度が「使用する時間帯」になると、噴霧部５０から第１の水量の機能水を供給する脱臭制御を実行する（タイミングｔ１）。噴霧部５０は、例えば約３秒間以上、５秒間以下程度にわたって第１の水量である約１２ｍＬ以上、１５ｍＬ以下程度の機能水を脱臭フィルタ４８に向かって噴霧する。これによって、脱臭フィルタ４８は、最大保水量の機能水を保持する。なお、図１２に示す、本具体例の制御部１８の動作では、使用者がトイレルーム１００を使用してから８日以上が経過しているものである。
【００８９】
このタイミングｔ１における噴霧部５０とファン４６の動作について、図１３（ａ）を用いて説明する。図１３（ａ）においては、説明のために噴霧部５０から機能水の供給を開始するタイミングｔ１をタイミングｔ１１としている。図１３（ａ）に示すように、制御部１８はタイミングｔ１１〜ｔ１２の間、脱臭フィルタ４８へ機能水の供給を実行する。制御部１８は、この噴霧部５０から脱臭フィルタ４８に向かって機能水を噴霧しているタイミングｔ１１〜ｔ１２の間は、ファン４６の作動を禁止している。
【００９０】
具体的には、制御部１８はタイミングｔ１１において、ファン４６が作動しているかどうかを確認する。そして、ファン４６が作動している場合には、噴霧部５０から機能水の供給を開始する前に、ファン４６を停止させる。図１３（ａ）においては、タイミングｔ１１の時点ではファン４６は停止しているため、制御部１８はファン４６が停止していることを確認し、噴霧部５０から機能水を供給する。
【００９１】
そして、噴霧部５０はタイミングｔ１１〜ｔ１２にかけて噴霧部５０より、脱臭フィルタ４８に機能水を供給する。このタイミングｔ１１〜ｔ１２において、制御部１８はファン４６の作動を禁止している。そのため、このタイミングｔ１１〜ｔ１２の間は、ファン４６は作動していない。
【００９２】
そして、制御部１８はタイミングｔ１２において噴霧部５０からの機能水の供給が完了した後、後述する第１遅延時間が経過したタイミングｔ１３において、ファン４６を作動させる。
【００９３】
このようにすることで、噴霧部５０から機能水が供給されている時にファン４６から供給される空気が脱臭フィルタ４８を通過しない。そのため、噴霧部５０から脱臭フィルタ４８に供給されている機能水が、ファン４６によって吸引された空気の風圧によって、排気口５４より便座装置１の機外に飛び散ることを抑制することができる。
【００９４】
また、制御部１８は噴霧部５０から機能水を供給する制御を実行した後、第１遅延時間（タイミングｔ１２〜タイミングｔ１３）が経過するまでファン４６の作動を継続して禁止している。そのため、タイミングｔ１２において噴霧部５０からの機能水の供給が終了してから、第１遅延時間（タイミングｔ１２〜タイミングｔ１３）が経過したタイミングｔ１３において、ファン４６が作動開始する。この第１遅延時間（タイミングｔ１２〜タイミングｔ１３）は例えば約３秒間以上、５秒間以下程度である。
【００９５】
噴霧部５０から機能水を供給した直後は、脱臭フィルタ４８に保持されずに排水口５６からそのまま排出される水が、一部脱臭フィルタ４８の表面に付着したままの状態となっている場合がある。そのため、噴霧部５０から機能水を供給し終わった直後にファン４６を作動させると、脱臭フィルタ４８に保持されなかった水が風圧によって、排気口５４から機外に飛び散る恐れがある。
【００９６】
そのため、噴霧部５０から機能水を供給した後、第１遅延時間（タイミングｔ１２〜タイミングｔ１３）の間はファン４６の作動を継続して禁止することで、例えば制御部１８で実行されている別の制御からファン４６を作動する信号が与えられたとしても、ファン４６が作動しないようにする。これによって、第１遅延時間が経過し、脱臭フィルタ４８に保持されない機能水が脱臭フィルタ４８から抜けた後にファン４６を作動させることができ、機能水が排気口５４から機外に飛び散ることを抑制することができる。
【００９７】
タイミングｔ１３より、ファン４６が作動を開始すると、吸気口部２１から吸い込まれた空気が機能水を保持した状態の脱臭フィルタ４８を通過するため、空気に含まれる悪臭成分は、脱臭フィルタ４８によって捕集又は分解される。つまり、脱臭装置１６による脱臭動作が実行されている。脱臭装置１６による脱臭動作は、脱臭フィルタ４８が乾燥するまで行われる。
【００９８】
本願明細書において脱臭フィルタ４８の「乾燥」とは、水を吸収あるいは保持した脱臭フィルタ４８の重さが、水を吸収あるいは保持する前の脱臭フィルタ４８の重さに戻った状態をいうものとする。本実施形態の脱臭フィルタ４８が最大保水量の水を保持してからファン４６から送られる空気によって乾燥するまでの時間は、例えば約３０分以上、２時間以下程度である。
【００９９】
脱臭フィルタ４８が最大保水量の水を保持してからファン４６から送られる空気によって乾燥するまでの時間が経過し、脱臭フィルタ４８が乾燥した状態となると、制御部１８は脱臭制御を継続するかどうかを判断する。
具体的には、現在の時間帯が「使用する時間帯」で有る場合には脱臭制御を継続し、それ以外であれば、脱臭制御を終了する。
従って、脱臭制御を終了する時には、脱臭フィルタが乾燥した状態となってから終了するため、脱臭フィルタ４８は、脱臭制御が行われていないときには乾燥している。これにより、脱臭フィルタ４８内に、カビなどの菌が繁殖することを抑制することができる。
【０１００】
脱臭フィルタ４８が乾燥すると、制御部１８は、噴霧部５０から機能水を供給する制御を実行する（タイミングｔ２）。噴霧部５０は、例えば約３秒間以上、５秒間以下程度にわたって第１の水量である約１２ｍＬ以上、１５ｍＬ以下程度の機能水を脱臭フィルタ４８に向かって噴霧する。これにより、脱臭フィルタ４８は、最大保水量の機能水を保持する。
また、制御部１８はタイミングｔ２においても、タイミングｔ１と同様に、噴霧部５０から機能水を供給している間及び噴霧部５０から機能水を供給してから第１遅延時間が経過するまでの間はファン４６の作動を禁止している。
【０１０１】
＜洗浄制御の動作＞
続いて、使用頻度が「あまり使用しない時間帯」になると、制御部１８は、ファン４６の動作を停止する制御を実行する（タイミングｔ３）。  
続いて、使用頻度が「使用しない時間帯」になると、制御部１８は、脱臭フィルタ４８の洗浄制御を実行する（タイミングｔ４）。つまり、本具体例では、図１０に関して前述した「不使用時間帯」は、「使用しない時間帯」に相当する。
【０１０２】
このタイミングｔ４における噴霧部５０とファン４８の動作について、図１３（ｂ）を用いて説明する。
図１３（ｂ）においては、説明のために噴霧部５０から機能水の供給を開始するタイミングｔ４をタイミングｔ４１としている。
制御部１８は、ファン４６の動作を停止させた状態で、噴霧部５０から第２の水量の機能水を噴霧する制御を実行する（タイミングｔ４１）。
噴霧部５０は、例えば約５秒間以上、７秒間以下程度にわたって約２４ｍＬ以上、２６ｍＬ以下程度の機能水を脱臭フィルタ４８にむかって噴射する（タイミングｔ４１〜ｔ４２）。続いて、噴霧部５０は、機能水の噴霧を完了してから約１０秒が経過すると、例えば約５秒間以上、７秒間以下程度にわたって約２４ｍＬ以上、２６ｍＬ以下程度の機能水を脱臭フィルタ４８に向かって再び噴霧する（タイミングｔ４３〜ｔ４４）。噴霧部５０はこのような動作を繰り返し、複数回にわたって機能水を脱臭フィルタ４８に噴霧する（タイミングｔ４１〜ｔ４５）。
本具体例では、噴霧部５０は、脱臭フィルタ４８の洗浄制御において、６回にわたって機能水を脱臭フィルタ４８に噴霧し、合計で例えば約１５０ｍＬ程度（第２の水量）の機能水を脱臭フィルタ４８に供給する。つまり、噴霧部５０は、脱臭フィルタ４８の洗浄制御において、第１の水量よりも多い第２の水量の機能水を脱臭フィルタ４８に供給している。
【０１０３】
また、制御部１８は噴霧部５０から脱臭フィルタ４８に第２の水量の機能水を供給している間（タイミングｔ４１〜ｔ４５）においても、ファン４６の作動を禁止している。
そして、噴霧部５０から第２の水量を供給する制御を実行した後、第２遅延時間（タイミングｔ４５〜タイミングｔ５）が経過するまでファン４６の作動を継続して禁止している。そのため、タイミングｔ４５において噴霧部５０から第２の水量の機能水の供給が終了してから、第２遅延時間（タイミングｔ４５〜タイミングｔ５）が経過したタイミングｔ５において、ファン４６が作動開始する。この第２遅延時間（タイミングｔ４５〜タイミングｔ５）は例えば約１分間程度である。
【０１０４】
このように、制御部１８は洗浄制御の際には、第１の水量よりも多い第２の水量の機能水を供給するため、脱臭フィルタ４８に保持されない機能水が脱臭フィルタ４８から抜け、水受部５２の排水口５６から排水されるまでに時間が掛かる。そのため、洗浄制御のときの第２の遅延時間を脱臭制御のときの第１の遅延時間に比べて長くすることで、脱臭フィルタ４８に保持されない機能水が排水されるまで時間をおいてからファン４６を作動させることで、機能水が排気口５４からの機外に飛び散ることを抑制することができる。
【０１０５】
タイミングｔ５において作動開始したファン４６は脱臭フィルタ４８ファン４６から送られる空気によって乾燥するまでの時間の間作動し、タイミングｔ６において停止する。
【０１０６】
続いて、制御部１８は、使用頻度が「使用する時間帯」に切り替わる６７．５分前に、ファン４６の動作を開始し、噴霧部５０から機能水を噴霧する脱臭制御を実行する（タイミングｔ７）。脱臭フィルタ４８が乾燥すると、制御部１８は噴霧部５０から機能水を噴霧する制御を実行する（タイミングｔ８及びタイミングｔ９）。タイミングｔ７、タイミングｔ８、及び、タイミングｔ９においても、噴霧部５０は第１の水量の機能水を脱臭フィルタ４８に供給する間及び噴霧部５０から機能水を供給してから第１遅延時間が経過するまでの間はファン４６の作動を禁止している。
【０１０７】
このように、使用頻度が「使用する時間帯」に切り替わる６７．５分前から脱臭制御を実行することで、使用者がトイレルーム１００に入室する可能性がより高い時間帯の前に、トイレルーム１００内に常在する臭気を取り除くことができる。したがって、使用者が、トイレルーム１００内に常在する臭気を吸うことで、不快感を感じることを抑制することができる。
【０１０８】
＜本実施形態の効果＞
本具体例によれば、噴霧部５０から脱臭フィルタ４８に機能水が供給されている場合にはファン４６の作動が禁止されているため、噴霧部５０から機能水が供給されているときにファン４６から脱臭フィルタ４８に空気が供給されることを抑制することができる。そのため、噴霧部５０から脱臭フィルタ４８に供給された機能水が機外に飛び散ることを抑制することができる。
【０１０９】
また、噴霧部５０から機能水を供給した直後は、脱臭フィルタ４８に保持されずにそのまま排出される機能水が、一部脱臭フィルタ４８の表面に付着したままの状態となっている。そのため、噴霧部５０から機能水を供給し終わった直後にファン４６を作動させると、脱臭フィルタ４８に保持されなかった機能水が風圧によって、機外に飛び散る恐れがある。
そのため、噴霧部５０から機能水を供給した後、予め定め有られた遅延時間の間はファン４６の作動が継続して禁止することで、脱臭フィルタ４８に保持されない機能水が脱臭フィルタ４８から抜けた後にファン４６を作動させることができる。そのため、機能水が機外に飛び散ることを抑制することができる。
【０１１０】
また、制御部１８は、洗浄制御の際には、第１の水量よりも多い第２の水量の機能水を供給するため、脱臭フィルタ４８に保持されない機能水が脱臭フィルタ４８から抜けるまでに時間が掛かる。そのため、洗浄制御のときの第２の遅延時間を脱臭制御のときの第１の遅延時間に比べて長くすることで、脱臭フィルタ４８に保持されない機能水が抜けるまで時間をおいてからファン４６を動作させることで、機外に水が飛び散ることを抑制することができる。
【０１１１】
また、制御部１８は噴霧部５０から機能水の供給を開始するときに、ファン４６が作動している場合にはファン４６を停止させることができる。そのため、噴霧部５０から脱臭フィルタ４８に機能水を供給するときには、ファン４６から脱臭フィルタ４８に空気が供給されることを抑制できる。そのため、噴霧部５０から脱臭フィルタ４８に供給された機能水が機外に飛び散ることを抑制することができる。また、噴霧部５０から機能水の供給が完了した後に、ファン４６を作動させることで、吸引された空気が機能水を保持した脱臭フィルタ４６を通過するため、空気を脱臭することができる。
【０１１２】
＜変形例＞
以上、本願の開示する技術の実施形態について説明したが、本願の開示する技術は上記に限定されるものではない。
【０１１３】
例えば、噴霧部５０は脱臭フィルタ４８に機能水を供給したが、本発明の便座装置１の脱臭装置１６はこれに限定されるものではなく、例えば、噴霧部５０から脱臭フィルタ４８に水や湯を供給するものであってもよい。
【０１１４】
また、噴霧部５０は脱臭フィルタ４８に機能水を噴霧することで供給するものであったが、本発明の噴霧部５０はこれに限定されるものではなく、脱臭フィルタ４８に機能水を吸収させることができるものであれば、その形態は適宜変更することができる。
【０１１５】
前述した各実施形態が備える各要素は、技術的に可能な限りにおいて組み合わせることができ、これらを組み合わせたものも本発明の特徴を含む限り本発明の範囲に包含される。
【符号の説明】
【０１１６】
１ 便座装置
１６ 脱臭装置
１８ 制御部
４６ ファン（吸引部）
４８ 脱臭フィルタ
５０ 噴霧部（供給部）
１００ トイレルーム 
【図１】
0006551860.tif 000005
【図２】
0006551860.tif 000006
【図３】
0006551860.tif 000007
【図４】
0006551860.tif 000008
【図５】
0006551860.tif 000009
【図６】
0006551860.tif 000010
【図７】
0006551860.tif 000011
【図８】
0006551860.tif 000012
【図９】
0006551860.tif 000013
【図１０】
0006551860.tif 000014
【図１１】
0006551860.tif 000015
【図１２】
0006551860.tif 000016
【図１３】
0006551860.tif 000017